(57)【要約】  薬剤供給装置（１００）は、薬剤槽（２１）内に分散材（Ｆ）と薬剤（ＣＡ）とを備えている。分散材（Ｆ）は、分散した隙間を有し、薬剤槽（２１）の内側において被処理水（Ｗ）を分散させる。透過性膜（４２）の孔径は、被処理水（Ｗ）が透過性膜（４２）を透過して薬剤（ＣＡ）に接触する前においては透過性膜（４２）によって支持された薬剤（ＣＡ）を透過させない程度の大きさである。透過性膜（４２）の孔径は、被処理水（Ｗ）が透過性膜（４２）を透過して薬剤（ＣＡ）に接触した後においては、被処理水（Ｗ）に含まれる薬剤（ＣＡ）を透過させる程度の大きさである。分散材（Ｆ）の分散した隙間は、薬剤（ＣＡ）を含む被処理水（Ｗ）が少なくとも１つの連通孔（２１Ａ）まで流れることを許容する状態になっている。
2019146394.tif 000002
【特許請求の範囲】
【請求項１】
上端が開放可能な容器部と、
前記容器部の内側に設けられ、底面部と前記底面部から上方へ延びかつ前記底面部の上側の空間を取り囲む周壁部とを含み、前記底面部および前記周壁部の少なくともいずれか一方に少なくとも１つの連通孔を有する薬剤槽と、
前記底面部の下方から前記底面部に接続され、前記容器部の外部から前記薬剤槽の内側へ被処理水を導く導入流路と、
前記薬剤槽の内側から前記少なくとも１つの連通孔を経由して流れ落ちた前記被処理水を前記容器部の外部へ導く導出流路と、
前記少なくとも１つの連通孔を覆うように前記周壁部の内側の前記底面部の上に載置されており、分散した隙間を有し、前記薬剤槽の内側において前記被処理水を分散させる分散材と、
前記薬剤槽の内側であってかつ前記分散材の上側に薬剤を支持するように設けられ、前記分散材によって分散された前記被処理水を透過させる透過性膜と、を備え、
前記透過性膜の孔径は、前記被処理水が前記透過性膜を透過して前記薬剤に接触する前においては、前記透過性膜によって支持された前記薬剤を透過させないが、前記被処理水が前記透過性膜を透過して前記薬剤に接触した後においては、前記被処理水に含まれる前記薬剤を透過させる程度の大きさであり、
前記分散材の前記分散した隙間は、前記薬剤を含む前記被処理水が前記少なくとも１つの連通孔まで流れることを許容する状態になっている、薬剤供給装置。
【請求項２】
前記分散材は、一群の砂礫、一群の砂利、積層された織布、積層された不織布、濾材、一群の粒状の部材、三次元繊維構造体、および多孔性部材のうちの少なくともいずれかを一つを含む、請求項１に記載の薬剤供給装置。
【請求項３】
前記透過性膜の前記孔径が０．０１μｍ〜１０μｍである、請求項１または２に記載の薬剤供給装置。
【請求項４】
前記薬剤槽の内側に設けられた薬剤収容部を備え、
前記薬剤収容部は、筒状の側壁部を含み、
前記透過性膜は、前記薬剤収容部の底部を構成するように前記筒状の側壁部に取り付けられた、請求項１〜３のいずれかに記載の薬剤供給装置。
【請求項５】
前記薬剤収容部は、前記筒状の側壁部の上端の開口を開放可能な態様で前記上端の開口を塞ぐように前記筒状の側壁部に設けられた上端閉塞部を含む、請求項４に記載の薬剤供給装置。
【発明の詳細な説明】
【技術分野】
【０００１】
本開示は、被処理水に薬剤を供給する薬剤供給装置に関する。
【背景技術】
【０００２】
従来から、被処理水に薬剤を供給する薬剤供給装置の開発が行われている。従来の薬剤供給装置において分散材は、たとえば、固形の薬剤が薬剤支持部によって支持されているか、または、液体の薬剤が透過性膜によって支持されているものがある。これらの場合、薬剤支持部または透過性膜には多数の孔が設けられている。そのため、多数の孔を下から上へ通過した被処理水が薬剤に接触する。それにより、薬剤が被処理水に溶解する（特許文献１参照）。
【先行技術文献】
【特許文献】
【０００３】
【特許文献１】特開２０１０−１９５４９０号公報
【発明の概要】
【発明が解決しようとする課題】
【０００４】
従来の薬剤供給装置によれば、固体または液体の薬剤が単に薬剤支持部または透過性膜の上に載置されているだけである。そのため、被処理水の流量の変動に起因して被処理水に含まれる薬剤の濃度にバラツキが生じてしまうおそれがある。【０００５】
本開示は、このような従来技術の有する課題に鑑みてなされたものである。そして、本開示の目的は、被処理水の流量に変動が生じても、被処理水に含まれる薬剤の濃度のバラツキを抑制することができる薬剤溶解装置を提供することである。
【課題を解決するための手段】
【０００６】
上記課題を解決するために、本開示の一態様に係る薬剤供給装置は、上端が開放可能な容器部と、前記容器部の内側に設けられ、底面部と前記底面部から上方へ延びかつ前記底面部の上側の空間を取り囲む周壁部とを含み、前記底面部および前記周壁部の少なくともいずれか一方に少なくとも１つの連通孔を有する薬剤槽と、前記底面部の下方から前記底面部に接続され、前記容器部の外部から前記薬剤槽の内側へ被処理水を導く導入流路と、前記薬剤槽の内側から前記少なくとも１つの連通孔を経由して流れ落ちた前記被処理水を前記容器部の外部へ導く導出流路と、前記少なくとも１つの連通孔を覆うように前記周壁部の内側の前記底面部の上に載置されており、分散した隙間を有し、前記薬剤槽の内側において前記被処理水を分散させる分散材と、前記薬剤槽の内側であってかつ前記分散材の上側に薬剤を支持するように設けられ、前記分散材によって分散された前記被処理水を透過させる透過性膜と、を備え、前記透過性膜の孔径は、前記被処理水が前記透過性膜を透過して前記薬剤に接触する前においては、前記透過性膜によって支持された前記薬剤を透過させないが、前記被処理水が前記透過性膜を透過して前記薬剤に接触した後においては、前記被処理水に含まれる前記薬剤を透過させる程度の大きさであり、前記分散材の前記分散した隙間は、前記薬剤を含む前記被処理水が前記少なくとも１つの連通孔まで流れることを許容する状態になっている。
【発明の効果】
【０００７】
本開示によれば、被処理水の流量に変動が生じても、被処理水に含まれる薬剤の濃度のバラツキを抑制することができる。
【図面の簡単な説明】
【０００８】
【図１】実施の形態の薬剤供給装置の全体構成を説明するための縦断面図である。
【図２】実施の形態の薬剤供給装置の薬剤槽に投入される分散材を説明するための分解斜視図である。
【図３】実施の形態の薬剤供給装置の薬剤容器部に投入される薬剤を説明するための分解斜視図である。
【発明を実施するための形態】
【０００９】
以下、図面を参照しながら、実施の形態の薬剤供給装置を説明する。以下の実施の形態においては、同一の参照符号が付された部分同士は、図面上における形状に多少の相違があっても、特段の記載がない限り、互いに同一の機能を発揮するものとする。
【００１０】
以下、図１〜図３を用いて、実施の形態の薬剤供給装置１００を説明する。
【００１１】
図１から分かるように、実施の形態の薬剤供給装置１００は、容器部１２を備えている。容器部１２は、上端が開放された容器本体部２と、容器本体部２の上端の開口を塞ぐように容器本体部２に取り外し可能な状態で取り付けられた蓋部１と、を含んでいる。
【００１２】
容器本体部２は、円筒状の周壁部と円板状の底面部とを有している。蓋部１は、円板状の上面部と、上面部の円周部から垂れ下がり、容器本体部２の円筒状の周壁部よりも一回り大きな環状の周壁部とを有している。ただし、容器部１２は、内部に空間を形成することができるものであれば、いかなる形状を有していてもよい。
【００１３】
容器部１２の内部の空間には、薬剤槽２１、導入流路１１Ａ、および導出流路１１Ｃが設けられている。薬剤供給装置１００は、薬剤槽２１の内側に設けられ、薬剤ＣＡを内包する薬剤収容部４０を備えている。そのため、本実施の形態によれば、蓋部１を容器本体部２から取り外すだけで、薬剤ＣＡに手で直接触れることなく、薬剤収容部４０を手で持った状態で、薬剤ＣＡを薬剤槽２１へ投入することができる。その結果、薬剤ＣＡが薬剤供給装置１００へ投入されるときに作業員の手に悪影響を与えることを抑制することができる。なお、薬剤収容部４０は、後述される透過性膜４２、筒状の側壁部４１、および上端閉塞部４３によって薬剤ＣＡを内包している。
【００１４】
薬剤槽２１は、円板状の底面部２１Ｙと、底面部２１Ｙの外周端から上方へ延びかつ底面部２１Ｙの上側の空間を取り囲む円筒状の周壁部２１Ｘと、を含んでいる。ただし、薬剤槽２１の底面部２１Ｙは、後述される分散材Ｆを置くことができる形状であれば、正方形の板材等のいなかる形状を有していてもよい。また、周壁部２１Ｘは、角筒状の形状等、いかなる形状を有していてもよい。
【００１５】
また、薬剤槽２１は、球殻の一部を切り欠いた形状、ワイングラスの形状、またはバスタブの形状等のように、周壁部２１Ｘと底面部２１Ｙとを区別することができない連続的な一体構造であってもよい。たとえば、薬剤槽２１は、凹レンズのような形状を有する底面部２１Ｙと、凹レンズのような形状の端部に連続する筒状の曲面部を有する周壁部２１Ｘとを備えていてもよい。
【００１６】
薬剤槽２１は、底面部２１Ｙに、底面部２１Ｙをその厚さ方向に貫通する、少なくとも１つの連通孔２１Ａを有している。本実施の形態においては、少なくとも１つの連通孔２１Ａは、底面部２１Ｙに設けられている。しかしながら、少なくとも１つの連通孔２１Ａは、後述される分散材Ｆによって覆われるのであれば、周壁部２１Ｘの下側部に設けられていてもよい。少なくとも１つの連通孔２１Ａの数は、本実施の形態においては８個（図２参照）であるが、いくつであってもよい。
【００１７】
薬剤槽２１の内側には、厚さｔを有する分散材Ｆが設けられている。分散材Ｆは、分散した隙間を有している。分散材Ｆは、本実施の形態においては、砂利である。分散材Ｆの厚さｔは、砂利の量を変更することによって変更することができる。本実施の形態においては、ｔ＝１０ｍｍ程度であるため、砂利の量は、５０ｍｌ〜７５ｍｌである。そのため、たとえば、薬剤ＣＡがポリ塩化アルミニウム（ＰＡＣ）であれば、被処理水Ｗに溶解したポリ塩化アルミニウムの濃度を１ｐｐｍ程度に制御することできる。つまり、本実施の形態の薬剤供給装置１００によれば、被処理水Ｗの薬剤ＣＡの濃度は、分散材Ｆを構成する砂利の量を変更することにより容易に調整することができる。
【００１８】
分散材Ｆは、薬剤収容部４０を支持している。分散材Ｆは、被処理水Ｗに分散した隙間のそれぞれに通過させることにより、薬剤槽２１内において一か所に集中して導入された被処理水Ｗを分散させる。分散材Ｆは、薬剤槽２１内において被処理水Ｗを整流する効果も有している。分散材Ｆは、少なくとも１つの連通孔２１Ａのそれぞれを覆うように周壁部２１Ｘの内側の底面部２１Ｙの上に載置されている。
【００１９】
薬剤槽２１は、薬剤収容部４０が分散材Ｆの上に投入され得るように、周壁部２１Ｘの内側に、上側が開放された内部スペースを有している。したがって、蓋部１を容器本体部２から取り外すだけで、容器本体部２の外部から分散材Ｆの上の内部スペースへ薬剤収容部４０を容易に投入することができる。分散材Ｆは、内部スペースに投入された場合に、薬剤収容部４０を支持するが、被処理水Ｗが薬剤収容部４０内の薬剤ＣＡに接触すること、および、薬剤ＣＡが溶解した被処理水Ｗが少なくとも１つの連通孔２１Ａまで流れることを許容する。
【００２０】
容器部１２内の薬剤槽２１の上側および側方の位置には、連通空間１１Ｂが形成されている。連通空間１１Ｂは、薬剤槽２１内の空間と導出流路１１Ｃとを連通させている。そのため、連通空間１１Ｂを経由して、薬剤槽２１内の空間と導出流路１１Ｃとの間で、空気が自由に移動できる。したがって、容器部１２の内部の空気が被処理水Ｗとともに容器部１２の外部へ流れ出てしまうことが抑制されている。
【００２１】
分散材Ｆは、本実施の形態においては、一群の粒材からなる砂利であるため、既存の材料を用いて、分散材Ｆを簡単に入手することができる。本実施の形態においては、薬剤ＣＡが被処理水Ｗに溶解すると酸性を示す固形塩素薬剤である。そのため、中和の目的で、分散材Ｆとしては、被処理水Ｗに溶解するとアルカリ性を示す部材が用いられることが好ましい。この場合、被処理水Ｗに溶解するとアルカリ性を示す部材は、たとえば、入手容易な既存の一群のセメント片、一群のサンゴ石、および一群の石灰岩の少なくともいずれか１つを含んでいる。これによれば、分散材Ｆの量を調整することにより、酸性になった被処理水Ｗを中性に近づけることができる。
【００２２】
分散材Ｆは、分散した隙間を有し、被処理水Ｗを分散することによって、被処理水Ｗを薬剤収容部４０内の薬剤ＣＡの下面のほぼ全体に均一に接触させることができるものであれば、いかなるものであってもよい。分散材Ｆは、たとえば、複数枚の不織布の積層構造、または、複数枚の織布の積層構造であってもよい。分散材Ｆは、たとえば、堆積された一群の粒状の部材、繊維が絡み合った三次元繊維構造体、または、スポンジと類似した構造を有する多孔性部材等であってもよい。
【００２３】
分散材Ｆは、分散した隙間を有していることにより、被処理水Ｗを分散できるのであれば、一群の濾材、または、一群の砂粒もしくは一群の石粒を含む一群の砂礫等の天然材料であってもよい。また、分散材Ｆを構成する個々の部材は、金属、プラスチック、樹脂、または繊維等の人造材料であってもよい。つまり、分散材Ｆは、分散した隙間を有し、薬剤収容部４０を支持でき、かつ、被処理水Ｗを分散することにより、薬剤収容部４０内の薬剤ＣＡの下側部分のほぼ全体に被処理水Ｗを接触させることができるものであれば、いかなるものであってもよい。
【００２４】
前述の分散材Ｆによれば、分散された被処理水Ｗを薬剤収容部４０内の薬剤ＣＡの下面の全体に均一に接触させることにより、薬剤ＣＡを被処理水Ｗに均一に溶解させることができる。その結果、被処理水Ｗに対する薬剤ＣＡの溶解濃度をほぼ一定に維持し続けることが容易になる。分散材Ｆの分散した隙間は、薬剤ＣＡが溶解している被処理水Ｗが少なくとも１つの連通孔２１Ａまで流れることを許容する状態になっている。
【００２５】
透過性膜４２は、薬剤槽２１の内側であってかつ分散材Ｆの上側に薬剤ＣＡを支持するように設けられ、分散材Ｆによって分散された被処理水Ｗを透過させる。透過性膜４２の孔径は、被処理水Ｗが透過性膜４２を透過して薬剤ＣＡに接触する前においては透過性膜４２によって支持された薬剤ＣＡを透過させない程度の大きさである。また、透過性膜４２の孔径は、被処理水Ｗが透過性膜４２を透過して薬剤ＣＡに接触した後においては、被処理水Ｗに溶解した薬剤ＣＡを構成する物質を透過させる程度の大きさである。
【００２６】
本実施の形態の薬剤供給装置１００によれば、被処理水Ｗが透過性膜４２を透過して薬剤ＣＡに接触した後、薬剤ＣＡを含む被処理水Ｗが透過性膜４２を経由して徐々に分散材Ｆ側へ放出される。そのため、分散材Ｆの機能だけでなく、透過性膜４２の機能によっても、被処理水Ｗ中の薬剤ＣＡの濃度のバラツキを抑制することができる。
【００２７】
前述したように、透過性膜４２の孔径は、被処理水Ｗに溶解した薬剤ＣＡを構成する物質の原子、分子、またはイオンを透過させる程度の大きさである。本実施の形態においては、薬剤ＣＡの被処理水Ｗに対する濃度を適切な値にする観点から、透過性膜４２の孔径が０．０１μｍ〜１０μｍであることがより好ましい。また、このような孔径を有する透過性膜４２でれば、市販されている材料を用いて、薬剤ＣＡを被処理水Ｗへ適切に徐放させる透過性膜４２を簡単に形成することができる。
【００２８】
一般に、液体または粘性材料からなる薬剤ＣＡが用いられる場合、透過性膜４２の孔径は、薬剤ＣＡの粘性に依存する。より具体的に言うと、透過性膜４２の孔径は、薬剤ＣＡの濃度と薬剤ＣＡを構成する物質の分子量に依存する。薬剤ＣＡの粘性が高ければ、薬剤ＣＡの表面張力が大きいため、透過性膜４２の孔径は、１０μｍよりも大きいことが好ましい場合もある。薬剤ＣＡの粘性が低ければ、薬剤ＣＡの表面張力が小さいため、透過性膜４２の孔径は、０．０１μｍよりも小さいことが好ましい場合もある。このような事項を考慮すると、透過性膜４２としては、たとえば、次のようなものが考えられる。
【００２９】
透過性膜４２としては、高分子によって構成された有機膜およびセラミックスに代表される無機材料によって構成された無機膜の少なくともいずれか１つが用いられてもよい。
【００３０】
透過性膜４２を構成する有機膜としては、ＭＦ膜（Micro-Filtration Membrane）またはＵＦ膜（Ultra-Filtration Membrane）が用いられてもよい。ＭＦ膜の孔径は０．０１μｍ〜１０μｍ程度のものがある。ＵＦ膜の孔径には、０．００１μｍ〜０．０１μｍ程度である。透過性膜４２を構成するＭＦ膜またはＵＦ膜としては、ＰＳＦ（ポリスルホン）膜、ＰＥ（ポリエチレン）膜、ＣＡ（酢酸セルロース）膜、またはＰＡＮ（ポリアクリロニトリル）膜等が用いられてもよい。また、透過性膜４２を構成するＭＦ膜またはＵＦ膜としては、ＰＰ（ポリプロピレン）膜、ＰＶＤＦ（ポリフッ化ビニリデン）膜、またはＰＴＦＥ（ポリテトラフロロエチレン）膜等が用いられてもよい。
【００３１】
また、透過性膜４２を構成する有機膜としては、ＮＦ膜（Nano-Filtration Membrane）膜またはＲＯ膜（Reverse Osmosis Membrane）も用いられてもよい。ＮＦ膜の孔径は、１ｎｍ〜２ｎｍ程度である。ＲＯ膜の孔径は、２ｎｍ程度またはそれ以下である。透過性膜４２を構成するＮＦ膜またはＲＯ膜としては、ポリアミド系の有機膜が用いられてもよい。
【００３２】
透過性膜４２を構成する無機膜としては、金属膜、または、セラミック（酸化アルミニウム、酸化チタン、または酸化ジルコニウム等）を用いたＭＦ膜、ＵＦ膜、もしくはＮＦ膜が用いられてもよい。
【００３３】
ただし、透過性膜４２は、被処理水Ｗが透過性膜４２を透過して薬剤ＣＡに接触する前においては透過性膜４２によって支持された薬剤ＣＡを透過させないが、被処理水Ｗに含まれる薬剤ＣＡを透過させるものであれば、いかなるものであってもよい。
【００３４】
図２から分かるように、分散材Ｆは、薬剤槽２１の上端の開口から底面部２１Ｙ上に投入される。なお、分散材Ｆは、図２においては、便宜上、１つの塊として描かれているが、実際には、個々の粒が分散し得る多数の粒からなっている。
【００３５】
図２から分かるように、本実施の形態においては、薬剤槽２１の周壁部２１Ｘは、前述のように、円筒である。また、薬剤槽２１の底面部２１Ｙは、周壁部２１Ｘが構成する円筒の仮想中心軸が仮想中心点を通過する円板である。そのため、本実施の形態においては、８つの連通孔２１Ａが４５度の円周角ごとに円板状の底面部２１Ｙの円周に沿って、底面部２１Ｙに設けられている。８つの連通孔２１Ａは、複数の連通孔２１Ａの一例である。つまり、複数の連通孔２１Ａは、同一の円周角ごとに等角度間隔をおいて円板の円周に沿って設けられている。したがって、被処理水Ｗを薬剤ＣＡの下面全体に極力均一に接触させることができる。
【００３６】
なお、複数の連通孔２１Ａの数は、２個、３個、４個、５個、６個、または９個、１０個、または１２個等、同一の円周角の間隔をおいて底面部２１Ｙを構成する円板の円周に沿って設けられているのであれば、いくつであってもよい。また、複数の連通孔２１Ａのそれぞれは、同一形状を有していることが好ましい。複数の連通孔２１Ａのそれぞれは、本実施の形態においては、同一の円形断面を有している。しかしながら、複数の連通孔２１Ａのそれぞれは、円形の底面部２１Ｙの径方向に沿って延びる長孔、または、円形の底面部２１Ｙの円周方向に沿って延びる円弧状の孔等であってもよい。
【００３７】
図２に示されるように、分散材Ｆと底面部２１Ｙとの間には、網目部材３０が設けられている。網目部材３０は、それぞれの大きさが少なくとも１つの連通孔２１Ａよりも小さい一群の開口を有している。網目部材３０は、少なくとも１つの連通孔２１Ａの全てを覆うように設けられている。網目部材３０は、分散材Ｆを構成する各粒の通過を抑制するが、被処理水Ｗを通過させる程度の大きさを有している。
【００３８】
本実施の形態においては、分散材Ｆが砂利のような一群の粒状の部材である。そのため、少なくとも１つの連通孔２１Ａから分散材Ｆの一部の粒状材が流出することを網目部材３０によって抑制することができる。ただし、連通孔２１Ａの大きさが分散材Ｆを構成する１つの粒の大きさよりも小さければ、つまり、分散材Ｆを構成する１つの粒が連通孔２１Ａを通過できなければ、網目部材３０は設けられていなくてもよい。
【００３９】
本実施の形態においては、容器部１２、薬剤槽２１、および薬剤収容部４０が透明材料で形成されている。そのため、容器部１２の外部から薬剤ＣＡの残量を容易に把握することができる。
【００４０】
図１から分かるように、導入流路１１Ａは、底面部２１Ｙの下方から底面部２１Ｙに接続されている。導入流路１１Ａは、底面部２１Ｙの下面に接続された円筒状の管路１１の内側の円柱状の空間である。薬剤供給装置１００の使用時には、導入流路１１Ａは、容器部１２の外部から薬剤槽２１の内側へ被処理水Ｗを導く。円柱状の導入流路１１Ａの仮想中心軸が底面部２１Ｙを構成する円板の仮想中心点の位置を通過するように、導入流路１１Ａが底面部２１Ｙの円形の開口に接続されている。導入流路１１Ａを流れる被処理水Ｗは、薬剤槽２１内に流れ込む。薬剤槽２１内において、被処理水Ｗは、分散材Ｆを構成する粒同士の間の分散した隙間に進入し、分散される。それにより、被処理水Ｗは、透過性膜４２を透過し、薬剤ＣＡの下面全体にほぼ均一に接触する。
【００４１】
薬剤供給装置１００の使用時の被処理水Ｗの水面は、薬剤ＣＡの下側の一部が被処理水Ｗに浸っているが、薬剤ＣＡの上側の一部が被処理水Ｗに浸っていない程度の一定の高さに位置付けられている。したがって、薬剤供給装置１００の使用時には、薬剤ＣＡは均一に被処理水Ｗに溶解する。
【００４２】
一方、薬剤供給装置１００の非使用時の被処理水Ｗの水面は、底面部２１Ｙの下面よりも下側に位置付けられている。そのため、薬剤供給装置１００の非使用時には、薬剤ＣＡが被処理水Ｗに溶解することはない。つまり、透過性膜４２を通過する薬剤ＣＡの分散材Ｆ側への放徐は停止している。したがって、薬剤供給装置１００の非使用時に薬剤ＣＡが被処理水Ｗに溶解することに起因して、薬剤供給装置１００の使用開始の初期に被処理水Ｗに対する薬剤ＣＡの溶解濃度が一時的に不均一になることが防止されている。
【００４３】
薬剤ＣＡに接触した被処理水Ｗは、少なくとも１つの連通孔２１Ａを通過し、少なくとも１つの連通孔２１Ａの下側の導出流路１１Ｃへ落下する。導出流路１１Ｃは、容器本体部２の内側の空間であって、管路１１の外側の空間である。導出流路１１Ｃは、薬剤槽２１の内側から少なくとも１つの連通孔２１Ａを経由して流れ落ちた被処理水Ｗを容器部１２の外部へ導いている。
【００４４】
図３に示されるように、薬剤収容部４０は、筒状の側壁部４１と、筒状の側壁部４１の下側の開口を覆うように筒状の側壁部４１に取り付けられた透過性膜４２とを含んでいる。本実施の形態においては、筒状の側壁部４１の下側の開口を覆う透過性膜４２は、筒状の側壁部４１の下端面に透過性膜４２が取り付けられている。ただし、筒状の側壁部４１の下側の開口を覆う透過性膜４２は、筒状の側壁部４１の下端からある程度上方の位置の筒状の側壁部４１の内周面に取り付けられていてもよい。つまり、透過性膜４２は、薬剤収容部４０の底部を構成するように筒状の側壁部４１に取り付けられていれば、いかなるものであってもよい。
【００４５】
透過性膜４２は、本実施の形態においては、筒状の側壁部４１にインサート成形されている。そのため、透過性膜４２の接着等の工程が不要で、かつ、非常に安価に形成することができる。ただし、透過性膜４２は、接着剤等の他のいかなる手段によって筒状の側壁部４１に取り付けられていてもよい。
【００４６】
薬剤ＣＡは、筒状の側壁部４１の内側であってかつ透過性膜４２の上に投入される。筒状の側壁部４１は、本実施の形態においては、円筒形状を有しているが、内周面を有する壁を有するのであれば、角筒形状等、いかなる形状を有していてもよい。
【００４７】
本実施の形態においては、透過性膜４２は、薬剤収容部４０の底部を構成するように設けられているが、薬剤槽２１の内側であってかつ分散材Ｆの上側であれば、いずれの位置に設けられていてもよい。たとえば、薬剤槽２１の内周面に取り付けられていてもよい。
【００４８】
また、薬剤槽２１の円筒状の周壁部２１Ｘが上下で２つの分割されており、２つの円筒状の周壁部２１Ｘの円形の端面同士の間に挟まれていてもよい。この場合、２つの円筒状の周壁部２１Ｘは、さらに他の円筒状の部材に嵌め込まれ、互いに固定されている。
【００４９】
本実施の形態の薬剤供給装置１００によれば、蓋部１を容器本体部２から取り外した状態で、薬剤収容部４０を薬剤槽２１から取り出せば、分散材Ｆの厚さを容易に変更することができる。したがって、薬剤ＣＡの濃度の調整を容易に行うことができる。また、分散材Ｆの清掃または交換、ならびに、薬剤槽２１の内面の清掃等を容易に行うことができる。
【００５０】
また、薬剤収容部４０は、筒状の側壁部４１の上端の開口を開放可能な態様で筒状の側壁部４１の上端の開口を塞ぐように筒状の側壁部４１に設けられた上端閉塞部４３を含んでいる。そのため、薬剤収容部４０の運搬のときに、筒状の側壁部４１の上側の開口から薬剤ＣＡが漏れることを抑制することができる。また、上端閉塞部４３を筒状の側壁部４１から取り外せば、薬剤収容部４０内への薬剤ＣＡの補充を容易に行うことができる。上端閉塞部４３と筒状の側壁部４１との間の密閉度は、薬剤ＣＡの徐放に無関係であるため、薬剤ＣＡの補給時に薬剤収容部４０から薬剤ＣＡが漏れ出さない程度であればよい。
【００５１】
本実施の形態においては、薬剤収容部４０は、筒状の側壁部４１から独立した蓋部としての上端閉塞部４３を有しており、その蓋部を筒状の側壁部４１から取り外した状態で、筒状の側壁部４１の内側に、薬剤ＣＡが上方から投入される。しかしながら、薬剤収容部４０は、筒状の側壁部４１の内側の空間に、薬剤ＣＡを上側から投入できるのであれば、上端閉塞部４３と筒状の側壁部４１とが一体化されており、上端閉塞部４３が筒状の側壁部４１に開閉式の扉として機能するものであってもよい。
【００５２】
上記の場合、上端閉塞部４３としての扉が開かれた状態で、薬剤ＣＡが筒状の側壁部４１の上端開口を通過して筒状の側壁部４１の内側であって透過性膜４２の上に投入される。つまり、薬剤収容部４０は、上端を開放可能な構造を有していれば、いかなるものであってもよい。上端閉塞部４３の構造は、引き戸構造であっても、開き戸構造であってもよい。なお、上端閉塞部４３は、筒状の側壁部４１の上端の開口を開放可能な態様であれば、筒状の側壁部４１の上端からある程度下方に取り付けられていてもよい。
【００５３】
薬剤ＣＡは、固形薬剤および液体薬剤のいずれであってもよい。薬剤ＣＡが固形塩素薬剤である場合には、たとえば、塩素化イソシアヌル酸が用いられてもよい。薬剤ＣＡは、前述のように、被処理水Ｗに溶解すると酸性を示す塩素系薬剤である。薬剤ＣＡは、定形性を有しない顆粒状薬剤および一定の形状に固められた錠剤のいずれであってもよい。なお、薬剤ＣＡは、純粋の液体以外に、流動することにより変形可能な粘性材料であってもよい。
【００５４】
顆粒状、固形、液体状もしくは粘性材料の薬剤ＣＡの成分としては、上記した塩素化イソシアヌル酸またはポリ塩化アルミニウム（ＰＡＣ）以外に、硫酸バンド、塩化第二鉄、ポリ硫酸第二鉄、または石灰等が用いられてもよい。これらは、凝集剤としての効果を発揮する。
【００５５】
薬剤ＣＡは、被処理水Ｗが透過性膜４２を透過して薬剤ＣＡに接触する前には、透過性膜４２に支持されており、被処理水Ｗが透過性膜４２を透過した後には、被処理水Ｗに含まれた状態で、透過性膜４２を透過するものであれば、いかなるものであってもよい。薬剤ＣＡの硬さおよび材料特性はいかなるものであってもよい。
【００５６】
本実施の形態においては、容器本体部２から独立した蓋部１を有しており、蓋部１を容器本体部２から取り外した状態で、薬剤供給装置１００内の薬剤槽２１の内側に、薬剤ＣＡを内包する薬剤収容部４０が上方から投入される。しかしながら、容器部１２は、薬剤槽２１の内側の空間に、薬剤収容部４０を上側から投入できるのであれば、蓋部１と容器本体部２とが一体化されており、蓋部１に開閉式の扉を有するものであってもよい。
【００５７】
上記の場合、蓋部１の扉が開かれた状態で、薬剤収容部４０が蓋部１の上方から扉を通過して薬剤槽２１の内側に薬剤収容部４０が挿入される。つまり、容器部１２は、上端を開放可能な構造、すなわち、上端の開口が開閉される構造を有していれば、いかなるものであってもよい。
【００５８】
以下、実施の形態の薬剤供給装置１００の特徴的構成およびそれにより得られる効果が述べられる。
【００５９】
（１）  薬剤供給装置１００は、容器部１２、薬剤槽２１、導入流路１１Ａ、導出流路１１Ｃ、分散材Ｆ、および透過性膜４２を備えている。容器部１２は、上端が開放可能である。薬剤槽２１は、容器部１２の内側に設けられ、底面部２１Ｙと底面部２１Ｙから上方へ延びかつ底面部２１Ｙの上側の空間を取り囲む周壁部２１Ｘとを含んでいる。薬剤槽２１は、底面部２１Ｙおよび周壁部２１Ｘの少なくともいずれか一方に少なくとも１つの連通孔２１Ａを有する。導入流路１１Ａは、底面部２１Ｙの下方から底面部２１Ｙに接続され、容器部１２の外部から薬剤槽２１の内側へ被処理水Ｗを導く。導出流路１１Ｃは、薬剤槽２１の内側から少なくとも１つの連通孔２１Ａを経由して流れ落ちた被処理水Ｗを容器部１２の外部へ導く。
【００６０】
分散材Ｆは、少なくとも１つの連通孔２１Ａを覆うように周壁部２１Ｘの内側の底面部２１Ｙの上に載置されており、分散した隙間を有し、薬剤槽２１の内側において被処理水Ｗを分散させる。透過性膜４２は、薬剤槽２１の内側であってかつ分散材Ｆの上側に薬剤ＣＡを支持するように設けられ、分散材Ｆによって分散された被処理水Ｗを透過させる。
【００６１】
透過性膜４２の孔径は、被処理水Ｗが透過性膜４２を透過して薬剤ＣＡに接触する前においては透過性膜４２によって支持された薬剤ＣＡを透過させない程度の大きさである。また、透過性膜４２の孔径は、被処理水Ｗが透過性膜４２を透過して薬剤ＣＡに接触した後においては、被処理水Ｗに含まれる薬剤ＣＡを透過させる程度の大きさである。分散材Ｆの分散した隙間は、薬剤ＣＡを含む被処理水Ｗが少なくとも１つの連通孔２１Ａまで流れることを許容する状態になっている。
【００６２】
これによれば、分散材Ｆによって分散された被処理水Ｗが透過性膜４２を透過して薬剤ＣＡに接触するため、薬剤ＣＡを被処理水Ｗに徐々に放出することができる。その結果、被処理水Ｗの流量に変動が生じても、被処理水Ｗに溶解する薬剤ＣＡの濃度のバラツキを抑制することができる。
【００６３】
（２）  分散材Ｆは、一群の砂礫、一群の砂利、積層された織布、積層された不織布、濾材、一群の粒状の部材、三次元繊維構造体、および多孔性部材のうちの少なくともいずれかを一つを含んでいてもよい。これによれば、既存の材料を用いて、分散材Ｆを簡単に形成することができる。
【００６４】
（３）  透過性膜４２の孔径が０．０１μｍ〜１０μｍであってもよい。これによれば、被処理水Ｗに対する薬剤ＣＡの濃度を適切な値に調節することができる。
【００６５】
（４）  薬剤供給装置１００は、薬剤槽２１の内側に設けられた薬剤収容部４０を備えていてもよい。薬剤収容部４０は、筒状の側壁部４１と透過性膜４２とを含んでいてもよい。透過性膜４２は、薬剤収容部４０の底面を構成するように筒状の側壁部４１に取り付けられていてもよい。これによれば、薬剤ＣＡは、筒状の側壁部４１の内側であってかつ透過性膜４２の上に投入される。その結果、薬剤収容部４０を薬剤槽２１から取り出せば、分散材Ｆの厚さを容易に変更することができる。したがって、薬剤ＣＡの濃度の調整を容易に行うことができる。
【００６６】
（５）  薬剤収容部４０は、筒状の側壁部４１の上端の開口を開放可能な態様で筒状の側壁部４１にその上端の開口を塞ぐように設けられた上端閉塞部４３を含んでいてもよい。これによれば、筒状の側壁部４１の上端の開口から薬剤ＣＡが流出することを抑制することができる。
【００６７】
本出願は、２０１８年１月２４日に出願された日本出願の特願２０１８−００９７０２号に基づく優先権を主張し、当該日本出願に記載された全ての記載内容を参照によって援用するものである。
【符号の説明】
【００６８】
１１Ａ  導入流路
１１Ｃ  導出流路
１２  容器部
２１Ｙ  底面部
２１  薬剤槽
２１Ｘ  周壁部
２１Ａ  連通孔
４０  薬剤収容部
４１  筒状の側壁部
４２  透過性膜
４３  上端閉塞部
１００  薬剤供給装置
ＣＡ  薬剤
Ｆ  分散材
Ｗ  被処理水
【図１】
2019146394.tif 000003
【図２】
2019146394.tif 000004
【図３】
2019146394.tif 000005
【国際調査報告】
2019146394.tif 000006
2019146394.tif 000007
2019146394.tif 000008
2019146394.tif 000009